(57)【特許請求の範囲】
【請求項１】
縦長状のフィンが多数枚、互いに隙間を存して並設され、これらフィンに、フィンの長手方向に沿って複数本の熱交換パイプが所定間隔を存して貫通されるフィンドチューブタイプであり、斜めに傾斜して配置される熱交換器において、
上記フィンは、風下側端縁から熱交換パイプまでの距離ｂが、風上側端縁から熱交換パイプまでの距離ａよりも、広く（ｂ＞ａ）なるよう寸法設定されることを特徴とする熱交換器。
【請求項２】
前部および上部に吸込み口が設けられるとともに前面下部に吹出し口が設けられる空気調和機本体と、
この空気調和機本体内部に収容配置される熱交換器および室内の熱交換空気を熱交換器に導く断面円形の送風ファンとを具備した空気調和機において、
上記熱交換器は、縦長状のフィンが多数枚、互いに隙間を存して並設され、これらフィンに、フィンの長手方向に沿って複数本の熱交換パイプが所定間隔を存して貫通されるフィンドチューブタイプであり、
上記前部吸込み口および上部吸込み口と対向するよう側面視で逆Ｖ字状に折り曲げられた前側熱交換器と後側熱交換器とからなり、
上記前側熱交換器と後側熱交換器を構成するフィンは、風下側端縁から熱交換パイプまでの距離ｂが、風上側端縁から熱交換パイプまでの距離ａよりも、広く（ｂ＞ａ）なるよう寸法設定されることを特徴とする空気調和機。
【請求項３】
前部および上部に吸込み口が設けられるとともに前面下部に吹出し口が設けられる空気調和機本体と、
この空気調和機本体内部に収容配置される熱交換器および室内の熱交換空気を熱交換器に導く断面円形の送風ファンとを具備した空気調和機において、
上記熱交換器は、縦長状のフィンが多数枚、互いに隙間を存して並設され、これらフィンに、フィンの長手方向に沿って複数本の熱交換パイプが所定間隔を存して、かつ風上側列と風下側列とに貫通されるフィンドチューブタイプであり、
上記前部吸込み口および上部吸込み口と対向するよう側面視で逆Ｖ字状に折り曲げられた前側熱交換器と後側熱交換器とからなり、
上記前側熱交換器と後側熱交換器との折り曲げ部で、かつ前側熱交換器および後側熱交換器の少なくとも一方の熱交換器におけるフィン上端縁と風下側列の最上部熱交換パイプとの間に、熱交換空気に対する流通抵抗となるとともにドレン水を流下案内する補助用突部が設けられることを特徴とする空気調和機。
【請求項４】
前部および上部に吸込み口が設けられるとともに前面下部に吹出し口が設けられる空気調和機本体と、
この空気調和機本体内部に収容配置される熱交換器および室内の熱交換空気を熱交換器に導く断面円形の送風ファンとを具備した空気調和機において、
上記熱交換器は、縦長状のフィンが多数枚、互いに隙間を存して並設され、これらフィンに、フィンの長手方向に沿って複数本の熱交換パイプが所定間隔を存して、かつ風上側列と風下側列とに貫通されるフィンドチューブタイプであり、
上記前部吸込み口および上部吸込み口と対向するよう側面視で逆Ｖ字状に折り曲げられた前側熱交換器と後側熱交換器とからなり、
上記前側熱交換器と後側熱交換器との折り曲げ部で、かつ後側熱交換器上部の風下側列部位は熱交換パイプを除去した熱交換パイプ除去部としたことを特徴とする空気調和機。
【発明の詳細な説明】
【０００１】
【発明の属する技術分野】
本発明は、熱交換器と、この熱交換器を収容配置する、たとえば室内ユニットを構成する空気調和機に関する。
【０００２】
【従来の技術】
近時、図１１に示すような室内熱交換器５を備えた空気調和機の室内ユニットが提供されている。
上記室内熱交換器５は、多数枚のフィンＦが互いに狭小の間隙を存して並設され、これらフィンＦに熱交換パイプＰが貫通されるフィンドチューブタイプであり、側面視で逆Ｖ字状に折り曲げられた前側熱交換器５Ａと後側熱交換器５Ｂとからなる。
【０００３】
冷房運転時に生成されるドレン水は、水とフィンＦとの付着（付着張力）により、前側熱交換器５Ａと後側熱交換器５ＢのフィンＦ下端面を流れて、それぞれの下端部に配置されるドレン皿７，８に受けられるようになっている。
【０００４】
図１２に上記室内熱交換器５の一部を拡大して示すように、この熱交換器５は上端部が風上側から風下側へ向かって斜めに傾斜して配置され、風下側後縁部幅である風下側端縁ｍから熱交換パイプＰまでの距離ｂと、風上側前縁部幅である風上側端縁ｎから熱交換パイプＰまでの距離ａとが、同等（ｂ＝ａ）となるよう寸法設定されている。
【０００５】
【発明が解決しようとする課題】
上記のような構成の室内熱交換器５では、使用初期状態ではフィンＦの表面処理が親水性を有するので、水とフィンＦ間の付着力が強く、冷房運転時に室内熱交換器５を構成するフィンＦ間にドレン水が保持されることがなく、円滑に流下して排水される。
【０００６】
しかしながら、据付け環境や経時的な条件から、長期間使用後は、フィンＦに撥水化物質が付着して表面が撥水状態となり易く、この場合フィンＦ相互間でドレン水を保持するようになる。このドレン水の保水量は、水滴とフィンＦとの接触角が大きいほど多くなる。
【０００７】
そのため、室内熱交換器５の傾斜角度によっては、保水したドレン水がフィンの下端部へ到達する以前で大きく肥大してしまい、フィンＦから滴下するばかりでなく、熱交換空気に載って室内へ飛散する恐れがある。
【０００８】
また、フィンＦはプレス成形された段階では所定部位に三角状の切り込みが設けられた、縦長状をなす。このフィンＦを多数枚隙間を存して並設し、熱交換パイプＰを貫通固定したあと、上記切り込みに沿って折り曲げ、前側熱交換器５Ａと後側熱交換器５Ｂとを成形する。
【０００９】
このような切り込みを予め設けるために、前側熱交換器５Ａと後側熱交換器５Ｂの特に上端部に相当するフィン部位はフラットな状態のまま残されている。また、前側熱交換器５Ａと後側熱交換器５Ｂとをそれぞれ別個に製作し、その後この２つの熱交換器を連結する方法もあるが、この場合もそれぞれの熱交換器５Ａ，５Ｂの上端部は、フィンＦの端面であることからスリットなどを設けることが困難で、フラットな状態のまま残されている。そのため、ここを通過する熱交換空気に対する流通抵抗がほとんど存在せず、局所的に風速増加がある。
【００１０】
その反面、上述の理由から各熱交換器５Ａ，５Ｂの同部位においての排水性が悪化し、フィン面Ｆにドレン水が保水され易い状態となる。一時的に大量のドレン水の保水が生じると、風速増加の影響を受けてドレン水が室内まで飛散する恐れがある。
【００１１】
本発明は上記事情に着目してなされたものであり、その目的とするところは、傾斜して配置される熱交換器であり、フィンに付着するドレン水の排水を円滑にして、局所的な風速増加とドレン水飛散を防止し、信頼性の向上を得る熱交換器および空気調和機を提供しようとするものである。
【００１２】
【課題を解決するための手段】
上記目的を満足するため、本発明の熱交換器は、縦長状のフィンが多数枚、互いに隙間を存して並設され、これらフィンに、フィンの長手方向に沿って複数本の熱交換パイプが所定間隔を存して貫通されるフィンドチューブタイプであり、斜めに傾斜して配置される熱交換器において、上記フィンは、風下側端縁から熱交換パイプまでの距離ｂが、風上側端縁から熱交換パイプまでの距離ａよりも、広く（ｂ＞ａ）なるよう寸法設定されることを特徴とする。
【００１３】
上記目的を満足するため、本発明の空気調和機は、前部および上部に吸込み口が設けられるとともに前面下部に吹出し口が設けられる空気調和機本体と、この空気調和機本体内部に収容配置される熱交換器および室内の熱交換空気を熱交換器に導く断面円形の送風ファンとを具備した空気調和機において、上記熱交換器は、縦長状のフィンが多数枚、互いに隙間を存して並設され、これらフィンに、フィンの長手方向に沿って複数本の熱交換パイプが所定間隔を存して貫通されるフィンドチューブタイプであり、上記前部吸込み口および上部吸込み口と対向するよう側面視で逆Ｖ字状に折り曲げられた前側熱交換器と後側熱交換器とからなり、上記前側熱交換器と後側熱交換器を構成するフィンは、風下側端縁から熱交換パイプまでの距離ｂが、風上側端縁から熱交換パイプまでの距離ａよりも、広く（ｂ＞ａ）なるよう寸法設定されることを特徴とする。
【００１４】
さらに、上記目的を満足するため、本発明の空気調和機は、前部および上部に吸込み口が設けられるとともに前面下部に吹出し口が設けられる空気調和機本体と、この空気調和機本体内部に収容配置される熱交換器および室内の熱交換空気を熱交換器に導く断面円形の送風ファンとを具備した空気調和機において、上記熱交換器は、縦長状のフィンが多数枚、互いに隙間を存して並設され、これらフィンに、フィンの長手方向に沿って複数本の熱交換パイプが所定間隔を存して、かつ風上側列と風下側列とに貫通されるフィンドチューブタイプであり、上記前部吸込み口および上部吸込み口と対向するよう側面視で逆Ｖ字状に折り曲げられた前側熱交換器と後側熱交換器とからなり、上記前側熱交換器と後側熱交換器との折り曲げ部で、かつ前側熱交換器および後側熱交換器の少なくとも一方の熱交換器におけるフィン上端縁と風下側列の最上部熱交換パイプとの間に、熱交換空気に対する流通抵抗となるとともにドレン水を流下案内する補助用突部が設けられることを特徴とする。
【００１５】
さらに、上記目的を満足するため、本発明の空気調和機は、前部および上部に吸込み口が設けられるとともに前面下部に吹出し口が設けられる空気調和機本体と、この空気調和機本体内部に収容配置される熱交換器および室内の熱交換空気を熱交換器に導く断面円形の送風ファンとを具備した空気調和機において、上記熱交換器は、縦長状のフィンが多数枚、互いに隙間を存して並設され、これらフィンに、フィンの長手方向に沿って複数本の熱交換パイプが所定間隔を存して、かつ風上側列と風下側列とに貫通されるフィンドチューブタイプであり、上記前部吸込み口および上部吸込み口と対向するよう側面視で逆Ｖ字状に折り曲げられた前側熱交換器と後側熱交換器とからなり、上記前側熱交換器と後側熱交換器との折り曲げ部で、かつ後側熱交換器上部の風下側列部位は熱交換パイプを除去した熱交換パイプ除去部としたことを特徴とする。
【００１６】
以上のごとく課題を解決する手段を採用することにより、傾斜して配置される熱交換器フィンの表面が撥水化して、冷房運転時にドレン水がブリッジを形成し大量にフィン間に保持されても、ドレン水が流れる風下側後縁部のフィン幅が広いのでドレン水は円滑に排水されて、フィン途中で滴下しなくなる。
【００１７】
また、逆Ｖ字状折り曲げ部での前側熱交換器と後側熱交換器との局所的なドレン水増加を回避して飛散を防止し、熱交換器まわりの風速分布のアンバランス化を防止する。
【００１８】
【発明の実施の形態】
以下、本発明の一実施の形態を、図面を参照して説明する。
図１に示すように、空気調和機本体であるユニット本体１は、前部吸込み口２と上部吸込み口３が開口される。前部吸込み口２の下方部位であるユニット本体１下面部には吹出し口４が開口される。
【００１９】
上記前部，上部吸込み口２，３と対向して、後述するように成形された室内熱交換器１０が配置される。この室内熱交換器１０に覆われるようにして断面円形状の送風ファンである横流ファン６が配置される。
【００２０】
上記室内熱交換器１０の前部側下部は前部ドレンパン７に、後部側下部は後部ドレンパン８に挿入される。これら前部ドレンパン７と後部ドレンパン８は、図示しない連通路を介して連通される。
【００２１】
上部吸込み口３の背面側端部に後板１２の上端部が連結され、後部ドレンパン８部位から横流ファン６側部を介して最下部は吹出し口４に亘るように延設される。そして、前部ドレンパン７部位下面と、横流ファン６側部から吹出し口４に亘る後板１２一部とで、吹出し案内路Ｓが形成される。
【００２２】
つぎに、上記室内熱交換器１０について詳述する。
この室内熱交換器１０は、逆Ｖ字状に形成される主熱交換器９と、直状で主熱交換器一部に沿って設けられる補助熱交換器１１との組合わせ体からなる。
【００２３】
上記主熱交換器９は、はじめ円弧状部と直状部とが互いの端部を境に連結された連結体として成形される。これら円弧状部と直状部との連結部には三角状の切込みが形成されていて、実際の連結部分はわずかでしかない。この連結部から直状部を所定角度に折り曲げることによって、逆Ｖ字状に形成される。
【００２４】
そして、ユニット本体１に主熱交換器９が組み込まれた状態で、円弧状部が前面側に位置するところから、この部分を前側熱交換器１０Ａと呼び、これよりも後部に位置する直状部を後側熱交換器１０Ｂと呼ぶ。
【００２５】
主熱交換器９および補助熱交換器１１ともに、互いに狭小の隙間を存して並設される多数枚の放熱フィンＦと、これら放熱フィンＦを貫通し拡管手段によって嵌着される熱交換パイプＰとの、いわゆるフィンドチューブタイプである。
【００２６】
主熱交換器９は、前側熱交換器１０Ａと後側熱交換器１０Ｂの長手方向に亘って熱交換パイプＰが２列、互いの列が一定の間隔を存して整列されるとともに、互いの列ではいわゆる千鳥状に位置をずらして設けられる。
【００２７】
熱交換パイプＰは、直状部分が長いＵ字状管であり、そのＵ字状部は並設されるフィンＦの一側端から突出する。他端開口部はフィンＦの他側端から突出しており、これら熱交換パイプの開口端はＵベンドや三方ベンドあるいはジャンパパイプで接続される。
【００２８】
前側熱交換器１０Ａにおける熱交換パイプＰ列のうち、前部吸込み口２に対向する列が熱交換空気の導入側となるので風上側列Ｕｐ、横流フアンと対向する側の列が空気導出側に相当するので風下側列Ｄｐと呼ぶ。
【００２９】
同様に、後側熱交換器１０Ｂにおける熱交換パイプＰ列も、上部吸込み口３に対向する列が熱交換空気の導入側となるので風上側列Ｕｐ、横流フアン６と対向する側の列が空気導出側に相当するので風下側列Ｄｐと呼ぶ。
【００３０】
したがって本実施の形態では、前側熱交換器１０Ａの下端部付近を除き、前側および後側熱交換器１０Ａ，１０Ｂのいずれも風上側が上側になり、風下側が下側となっている。すなわち、重力方向と熱交換器を流れる風の方向とが一致している。
【００３１】
また、前側熱交換器１０Ａと後側熱交換器１０Ｂは、これらが前部吸込み口２と上部吸込み口３とに対向しているところから、それぞれの熱交換器１０Ａ，１０Ｂの上端部は風上側から風下側へ傾斜していることになる。
【００３２】
図２に模式的に示すように、風上側列Ｕｐの熱交換パイプＰ相互間と、風下側列Ｄｐの熱交換パイプＰ相互間には、切り起こし部であるスリット形切り起こし片１３が設けられる。また、風上側列Ｕｐと風下側列Ｄｐとの列間にも切り起こし部であるスリット形切り起こし片１４が設けられる。
【００３３】
そして上記フィンＦは、フィンＦの風下側後縁部幅である風下側端縁ｍから風下側列Ｄｐの熱交換パイプＰ周縁までの距離ｂが、風上側前縁部幅であるフィンＦの風上側端縁ｎから風上側列Ｕｐの熱交換パイプＰ周縁までの距離ａよりも広く（ｂ＞ａ）なるよう寸法設定される。
【００３４】
なお説明すれば、フィンＦとして、その幅寸法は従来より用いられるフィンと同一であり、従来はフィンの中心から均等に振り分けられた位置にある熱交換パイプＰとスリット片１３，１４の位置が、全体的に風上側へシフトされるものである。
【００３５】
しかして、冷凍サイクル運転にともなって横流フアン６が回転駆動されると、前部，上部吸込み口２，３から室内空気がユニット本体１内に吸込まれる。熱交換空気は、前部吸込み口２と対向して配置される前側熱交換器１０Ａを流通して熱交換をなすとともに、上部吸込み口３と対向して配置される補助熱交換器１１と後側熱交換器１０Ｂを流通して熱交換する。
【００３６】
これら熱交換器１０Ａ，１０Ｂ，１１と熱交換した熱交換空気は、横流フアン６から吹出し案内路Ｓを介して吹出し口４から吹出され、よって室内の空気調和をなす。
【００３７】
なお、上記前側熱交換器１０Ａおよび後側熱交換器１０Ｂにおいては、その上端部が風上側から風下側へ向かって斜めに傾斜して配置されるので、フィンＦの風上側で生成されるドレン水も円滑に風下側に導かれる。
【００３８】
ここで、先に述べたように、フィンＦは風上側前縁部のフィン幅ｂが、風下側後縁部のフィン幅ａよりも広く（ｂ＞ａ）形成され、かつ上端部が風上側から風下側へ向かって傾斜しているので、風上側前縁部で生成されたドレン水は傾斜に沿って風下側後縁部に導かれ、さらにここから保水されることなく円滑に下部側へ流下する。
【００３９】
したがって、ドレン水はフィンＦの最下端部へ到達する途中でフィンＦから滴下することなく前部，後部ドレン皿７，８へ導かれ、室内への飛散は確実に防止される。
【００４０】
また、風上側前縁部のフィン幅ａが狭いので通風抵抗が減少し、風量低下が防止されて、フィンＦの伝熱性能および送風性能を損なうことなくドレン水を円滑に流通させる。
【００４１】
この発明は、以下に述べるような変形例が考えられる。
図３に示すように、室内熱交換器１０を上端部が風上側から風下側へ向かって傾斜された状態で、フィンＦの風下側後縁部幅ｂが風上側前縁部幅ａよりも広いことは勿論、上記フィンＦの風上側列Ｕｐ，風下列側Ｄｐそれぞれの熱交換パイプＰ相互間に切り起こし部１３，１３ａが設けられる。
【００４２】
特に、風下側列Ｄｐの熱交換パイプＰ相互間に設けられる切り起こし部１３ａにおいては、フィン風下側端縁ｍから切り起こし部１３ａ風下側端縁までの距離ｃが、フィン風下側端縁ｍから風下側列Ｄｐの熱交換パイプＰ周縁までの距離ｂよりも狭く（ｃ＜ｂ）なるよう寸法設定される。
【００４３】
しかして、フィンＦの風上側で生成されるドレン水が円滑に風下側に導かれるとともに、フィンＦの風下側上部から流下してきたドレン水は、風下側端縁ｍと風下側列Ｄｐの熱交換パイプＰとの間隔が広いところから円滑に流下し、その流下速度が速まる。
【００４４】
ところが、この熱交換パイプＰの下部にある切り起こし部１３ａではフィン後端縁ｍとの距離ｃが狭められているので、この部分で一旦保水されドレン水の流下速度が適宜規制されることになり、フィンＦ下端縁まで流下する途中から滴下することはない。
【００４５】
すなわち、フィンＦに生じたドレン水がフィンＦ表面を伝わって流れる場合、邪魔がなく円滑に流下すると、その流下速度が速まり、風下側端縁ｍからそのまま滴下する。
【００４６】
ところが、切り起こし部１３ａがあると、この部分において、ドレン水の落下が一時的に止められ、再び切り起こし部１３ａの下部からフィンＦ上を流れ落ちる際にはその流下速度が低く抑えられるため、そのまま風下側端縁ｍから空中に飛び出しまうことなく風下側端縁ｍに沿ってドレンパンのある斜め下方に伝わって落ちて行く。
【００４７】
図４に示すように、室内熱交換器１０を傾斜させた状態で、フィンＦの風下側後縁部幅ｂが風上側前縁部幅ａよりも広いことは勿論、上記フィンＦの風上側列Ｕｐと風下列側Ｄｐそれぞれの熱交換パイプＰ相互間に切り起こし部１３が設けられる。
【００４８】
そして、ここでは風上側列Ｕｐの熱交換パイプＰと風下側列Ｄｐの熱交換パイプＰ相互間に、風上側に向かって開放する片側切り起こし片１４ａが設けられている。この片側切り起こし片１４ａの長さは風下側列Ｄｐの熱交換パイプＰの相互間隔と略同じ長さを有する。
【００４９】
したがって、フィンＦの風上側列Ｕｐの熱交換パイプＰから流れてきたドレン水は、片側切り起こし片１４ａの切り起こし部分に沿って流れ、この下端から風下側列Ｄｐの熱交換パイプＰ側へ導かれる。
【００５０】
すなわち、片側切り起こし片１４ａは風上側で生成されるドレン水が直接的に風下側に流下するのを阻止するとともに、ドレン水の流下速度をそそぐことができる。さらに、片側切り起こし片１４ａは、熱交換器の傾斜とほぼ平行に設けられているため、この片側切り起こし片１４ａを伝わって流れるドレン水は真下（重力方向）ではなく、ドレンパンの位置する方向である、熱交換器の傾斜方向（斜め下）方向へと流され、真下方向へのドレン水の流れが抑制される。
【００５１】
このため、風上側列Ｕｐの熱交換パイプＰ付近に生じたドレン水は、風下側端縁ｎに到達するまでにドレンパンのある斜め下方向へと流れ、熱交換器上部の風下側端縁ｍに集まるドレン水の量を減らし、風下側のフィンＦ途中からの滴下を防止する。
【００５２】
なお、片側切り起こし片１４ａは、約１mm程度の高さであり、ドレン水はこの切り起こし部分の孔を通過してフィンＦの裏面へとそのまま通り抜けることはほとんどなく、この部分に到達したドレン水は片側切り起こし片１４ａの表面側を片側切り起こし片１４ａに沿って流れる。
【００５３】
また、図５に示すように、フィンＦを傾斜させた状態で、フィンＦの風下側後縁部幅ｂが風上側前縁部幅ａよりも広いことは勿論、上記フィンＦには風下側端縁ｍから風下側列Ｄｐの熱交換パイプＰまでの間に、この長手方向に沿ってフィンＦの表面（上面）へ突出するビード部１５を設けてもよい。
【００５４】
フィンＦの風下側後縁部分を流れるドレン水は、上記ビード部１５に沿って流下し、よってフィンＦの中途部から直接滴下することがなく、円滑に排水処理される。また、通風抵抗も大幅に増加しないので伝熱性能を損なうことがなく、しかもビード部１５によるフィンＦの補強を得る。
【００５５】
さらに、図６では、熱交換器１０を傾斜させた状態で、フィンＦの風下側後縁部幅ｂが風上側前縁部幅ａよりも広いことは勿論、風下側後端部幅ｂはフィン上部幅ｂa から下部幅ｂb に亘って漸次広くなるよう形成される。
【００５６】
すなわち、当然ながらドレン水はフィンＦの上部から下部へ行くほど流れ込むドレン水が合流して、流下量が多くなる。ここでは、風下側後端部の上部幅ｂa から下部幅ｂb に亘って漸次広く形成してあるので、ドレン水はこの漸次幅広部分において合流し、かつ円滑に流下してフィンの中途部から直接滴下することがなく排水処理される。
【００５７】
つぎに、本発明における他の実施の形態について説明する。
再び図１に示すように、上記室内熱交換器１０において、上記前側熱交換器１０Ａと後側熱交換器１０Ｂとの折り曲げ部２０で、かつ前側熱交換器１０Ａにおける上端部には補助用突部３０が設けられる。
【００５８】
図７（Ａ）に、上記補助用突部３０を拡大して示す。この補助用突部３０は、フィンＦの長手方向端縁に沿って、互いに並行に設けられ、かつ漸次長さが異なる複数のルーバ状切り起こし片３０ａから構成される。これら切り起こし片３０ａの短辺は熱交換パイプＰおよびフィンＦ上端縁に沿い、かつ長辺はフィンＦの側端縁に沿う。
【００５９】
あるいは、同図（Ｂ）に拡大して示すように、上記補助用突部３０として、フィンＦの長手方向端縁に沿って、互いに並行に設けられ、かつ漸次長さが異なる複数のスリット状切り起こし片３０ｂから構成される。これら切り起こし片３０ｂの短辺は熱交換パイプＰおよびフィンＦ上端縁に沿い、かつ長辺はフィンＦの側端縁に沿う。
【００６０】
あるいは、同図（Ｃ）に拡大して示すように、上記補助用突部３０として、フィンＦの長手方向端縁に沿って、互いに並行に設けられ、かつ漸次長さが異なる複数のバーリング状切り起こし片３０ｃから構成される。これら切り起こし片３０ｃの短辺は熱交換パイプＰおよびフィンＦ上端縁に沿い、かつ長辺はフィンＦの側端縁に沿う。
【００６１】
あるいは、同図（Ｄ）に拡大して示すように、上記補助用突部３０として、フィンＦの長手方向端縁に沿って、互いに並行に設けられ、かつ漸次長さが異なる複数の突条３０ｄから構成される。これら突条３０ｄの短辺は熱交換パイプＰおよびフィンＦ上端縁に沿い、かつ長辺はフィンＦの側端縁に沿う。
【００６２】
いずれにしても、逆Ｖ字折り曲げ部２０近傍である前側熱交換器１０Ａの上端部に補助用突部３０を設けたので、特にこの部分で生成されたドレン水を円滑に下方へ流下させる。
【００６３】
なお、図７（Ａ）ないし（Ｄ）では、前側熱交換器１０Ａの上端部のフィンＦの面積を後側熱交換器１０Ｂの上端部のフィンＦの面積よりも広く形成しているところから、前側熱交換器１０Ａにのみ補助用突部３０を設けたが、逆に後側熱交換器１０Ｂの上端部のフィンＦの面積を広く形成した場合には、後側熱交換器１０Ａに補助用突部３０を設けるようにすればよい。また熱交換器１０Ａ，１０Ｂ両方の上端部にそれぞれ補助用突部３０を設けてもよい。
【００６４】
さらに他の部分が大量のドレン水を保水したときでも、この折り曲げ部２０にも補助用突部３０が通風抵抗となり、室内熱交換器１０まわりの風速分布の極端なアンバランスが防止され、Ｖ字状折り曲げ部２０付近での局所的な風速増加を回避して、ドレン水の室内飛散を防止する。
【００６５】
図８に、本発明におけるさらに他の実施の形態を示す。
後述する後側熱交換器１０Ｂの一部を除いて、空気調和機の構成は先に図１において説明したものと全く同一であり、ここでは同番号を付して新たな説明は省略する。
【００６６】
上記室内熱交換器１０を構成する前側熱交換器１０Ａと後側熱交換器１０Ｂとの折り曲げ部２０で、かつ後側熱交換器１０Ｂの風下側列Ｄｐの最上部は、熱交換パイプ除去部４０となす。
【００６７】
すなわち、これまで説明したきた室内熱交換器１０における後側熱交換器１０Ｂでは、その風下側列Ｄｐには上部から下部に亘って所定間隔を存して熱交換パイプＰが貫通していたが、この発明は特に上部においてのみ熱交換パイプを貫通せずに除去する。
【００６８】
上記熱交換パイプ除去部４０は、ここではフィンＦに対する何らの加工もせず、凹凸の全くないフラット部となす。
図９および図１０（Ａ）に示すように、熱交換パイプ除去部４０Ａとして、熱交換空気の流通方向に対して直交する方向に設けられる長さの異なる複数のスリット形切り起こし片４０ａ，４０ｂから構成してもよい。
【００６９】
なお説明すれば、両側のスリット形切り起こし片４０ａは互いに全長が短く、かつ上下両端の位置を揃えて設けられる。また、真ん中のスリット形切り起こし片４０ａは、両側でかつ上下の切り起こし片４０ａのほぼ半分の長さに亘るような全長を有する。
【００７０】
あるいは、図１０（Ｂ）に示すように、熱交換パイプ除去部４０Ｂとして、熱交換空気の流通方向に対して直交する方向に設けられる長さの異なる複数のルーバ形切り起こし片４０ｃ，４０ｄから構成してもよい。
【００７１】
なお説明すれば、両側のルーバ形切り起こし片４０ｃは互いに全長が短く、かつ上下両端の位置を揃えて設けられる。また、真ん中のルーバ形切り起こし片４０ｄは、両側でかつ上下の切り起こし片４０ｃのほぼ半分の長さに亘るような全長を有する。
【００７２】
いずれにしても、後側熱交換器１０Ｂに逆Ｖ字状折り曲げ部２０近傍で、風下側列Ｄｐの最上部には熱交換パイプＰは存在しない。代って、フラット部４０を形成し、もしくは切り起こし片４０ａ〜４０ｄを備えたことにより、風下列側Ｄｐ最上部のフィンＦ面を流下するドレン水の流路が十分に確保される。したがって、逆Ｖ字状折り曲げ部２０近傍からのドレン水飛散の危険性が低下する。
【００７３】
さらに、同部位に熱交換空気の流通方向に直交する方向に隣り合う長さの異なるスリット形切り起こし片４０ａ，４０ｂもしくはルーバ形切り起こし片４０ｃ，４０ｄが多数形成されることにより、ドレン水はこれら切り起こし片４０ａ〜４０ｄに沿って円滑に下方へ流れる。
【００７４】
したがって、ドレン水保水時でも、熱交換器まわりの風速分布のアンバランス化が防止され、信頼性の向上を得る。フィンＦの同部位面に大量のドレン水の保水が生じた場合でも局所的な増加を回避してドレン水の飛散を防止し、熱交換器まわりの風速分布のアンバランス化を防止する。
【００７５】
【発明の効果】
以上説明したように本発明では、市場環境によってフィン表面が撥水化し、冷房運転時にドレン水がブリッジを形成して大量にフィン間に保持されてもドレン水が流れる風下側後縁部のフィン幅が広いのでドレン水は円滑に排水されて、フィン途中で滴下することがなく、排水処理効率の向上を得られるという効果を奏する。
【００７６】
さらに、本発明では、熱交換器のフィン面に大量のドレン水の保水が生じた場合、逆Ｖ字状折り曲げ部近傍部位での局所的な増加を回避してドレン水の飛散を防止し、かつ熱交換器まわりの風速分布のアンバランス化を防止するなどの効果を奏する。
【図面の簡単な説明】
【図１】本発明の一実施の形態を示す、熱交換器を組み込んだ空気調和機室内ユニットの概略の断面図。
【図２】同実施の形態の、熱交換器一部を拡大した図。
【図３】他の実施の形態の、熱交換器一部を拡大した図。
【図４】さらに他の実施の形態の、熱交換器一部を拡大した図。
【図５】さらに他の実施の形態の、熱交換器一部を拡大した図。
【図６】さらに他の実施の形態の、熱交換器一部を拡大した図。
【図７】（Ａ）は、図１に示す熱交換器の一部である補助用突部を拡大した図。
（Ｂ）ないし（Ｄ）は、互いに異なる補助用突部を説明する図。
【図８】さらに異なる実施の形態を示す、熱交換器を組み込んだ空気調和機室内ユニットの概略の断面図。
【図９】さらに異なる実施の形態を示す、熱交換器を組み込んだ空気調和機室内ユニットの概略の断面図。
【図１０】（Ａ）および（Ｂ）は、互いに異なる切り起こし部形状を説明する図。
【図１１】従来の、熱交換器を組み込んだ空気調和機室内ユニットの概略の断面図。
【図１２】従来の、熱交換器一部を拡大した図。
【符号の説明】
１０…室内熱交換器、
Ｆ…フィン、
Ｐ…熱交換パイプ、
Ｕｐ…風上側列、
Ｄｐ…風下側列、
１４ａ…片側切り起こし片、
３０…補強用突部、
４０…熱交換パイプ除去部。
【図１】
0003762068.tif 000002
【図２】
0003762068.tif 000003
【図３】
0003762068.tif 000004
【図４】
0003762068.tif 000005
【図５】
0003762068.tif 000006
【図６】
0003762068.tif 000007
【図７】
0003762068.tif 000008
【図８】
0003762068.tif 000009
【図９】
0003762068.tif 000010
【図１０】
0003762068.tif 000011
【図１１】
0003762068.tif 000012
【図１２】
0003762068.tif 000013